(57)【特許請求の範囲】
【請求項１】
小型成形品を搬送しながら整列させ、次段の処理装置に供給する小型成形品の搬送装置において、
前記処理装置に向けて前記小型成形品を搬送する搬送ベルトと、
搬送される前記小型成形品を前記処理装置での処理に適した目標姿勢に転換するよう、前記搬送ベルトの搬送面から所定の間隙をもって配置される高さ規制部材と、
前記搬送ベルトをその下面から支持する支持部材であって、少なくとも前記高さ規制部材に沿った範囲に凹部を有する支持部材と、を備え、前記目標姿勢に転換されない小型成形品との当接に応じて前記高さ規制部材が弾性変形および／または変位して前記間隙を拡張することで、当該小型成形品の通過を許容するとともに、当該通過時に前記搬送ベルトが前記凹部内に撓むようにしたことを特徴とする小型成形品の搬送装置。
【請求項２】
小型成形品を搬送しながら整列させ、次段の処理装置に供給する小型成形品の搬送装置において、
前記処理装置に向けて前記小型成形品を搬送する搬送ベルトと、
搬送される前記小型成形品を前記処理装置での処理に適した目標姿勢に転換するよう、前記搬送ベルトの搬送面から所定の間隙をもって配置される高さ規制部材と、
前記搬送ベルトの一側部の側に配置され、前記小型成形品を整列させるべく前記搬送ベルトによる搬送路を前記処理装置に向けて漸次狭めるガイド部材と、
前記搬送ベルトを挟んで前記ガイド部材と対向する対向側壁と、
を備え、
前記高さ規制部材は、前記小型成形品の搬送方向の相対的に下流において前記ガイド部材側に位置づけられる一端と、前記搬送方向の相対的に上流において前記対向側壁側に位置づけられる他端とを有して前記搬送路を斜めに跨ぐように延在して配置されていることを特徴とする小型成形品の搬送装置。
【請求項３】
前記高さ規制部材は弧形状を有し、前記上流に向って凸となるように配置されることを特徴とする請求項２に記載の小型成形品の搬送装置。
【発明の詳細な説明】
【技術分野】
【０００１】
本発明は、錠剤などの小型成形品を整列させて次段の処理装置に供給するように搬送を行う搬送装置に関する。特に、本発明は、搬送ベルト上での小型成形品の整列性の向上を図り、搬送能力ひいては次段での処理の効率を高めるように改良された小型成形品の搬送装置に関する。
【背景技術】
【０００２】
小型成形品の処理装置、例えば小型成形品の外観検査を行うための検査装置においては、すべての小型成形品について一様で安定した検査が行われることが必要である。そのためには個々の小型成形品が重なり合うことなく整列し、かつ一定の目標姿勢にされた状態で検査装置に供給されることが重要である。しかし検査対象となる小型成形品の供給部から検査装置に至る搬送路上では、小型成形品同士が全体的または部分的に重なり合った状態となっていることがある。また、扁平な円柱形状の小型成形品では、端面が搬送面に接した目標姿勢となっているほか、周側面部分が搬送面に接した姿勢（立った姿勢）となっていることがある。そこで、従来の搬送装置として、例えば特許文献１に開示されたもののように、小型成形品を載置して搬送する搬送ベルトの搬送路を下流に向って次第に狭めることで小型成形品を整列させる整列ガイドと、搬送路の途中に配置されて搬送ベルトの搬送面との間で高さを規制することにより小型成形品を目標姿勢とする高さ規制ゲートと、が設けられたものがある。また、かかる搬送装置では、さらに、整列させることができなかった小型成形品を搬送路の上流側の位置に戻すためのリターン路が設けられる。
【先行技術文献】
【特許文献】
【０００３】
【特許文献１】特開２００３−１２８２３３号公報
【発明の概要】
【発明が解決しようとする課題】
【０００４】
小型成形品の検査装置、搬送装置および供給装置を含めたシステムの小型化や、搬送ないし検査効率の向上が求められており、そのためには各装置の適切な配置、搬送速度の向上、小型成形品の滞留や詰まりの抑制、および上流側に戻される小型成形品の数の低減が強く要望される。しかしながら、特許文献１に開示されるような従来の搬送装置は、特に高さ規制ゲートの構成、形状および配置に由来してそれらの要望に十分に応え得るものではなかった。
【０００５】
本発明は、かかる点に鑑み、システム全体の小型化並びに搬送の効率ないしは検査等次段での処理の効率の向上に資するべく、高さ規制ゲートの構成、形状および配置を適切に定めることにより上記要望に応えることのできる搬送装置を提供することを目的とする。
【０００６】
また、本発明の他の目的は、高さ規制ゲートと目標姿勢とならなかった小型成形品との接触に伴ってそれらに作用する負荷を軽減することにある。
【課題を解決するための手段】
【０００７】
そのために、本発明は、小型成形品を搬送しながら整列させ、次段の処理装置に供給する小型成形品の搬送装置において、
前記処理装置に向けて前記小型成形品を搬送する搬送ベルトと、
搬送される前記小型成形品を前記処理装置での処理に適した目標姿勢に転換するよう、前記搬送ベルトの搬送面から所定の間隙をもって配置される高さ規制部材と、
前記搬送ベルトをその下面から支持する支持部材であって、少なくとも前記高さ規制部材に沿った範囲に凹部を有する支持部材と、を備え、前記目標姿勢に転換されない小型成形品との当接に応じて前記高さ規制部材が弾性変形および／または変位して前記間隙を拡張することで、当該小型成形品の通過を許容するとともに、当該通過時に前記搬送ベルトが前記凹部内に撓むようにしたことを特徴とする。
【０００９】
また本発明の他の形態では、小型成形品を搬送しながら整列させ、次段の処理装置に供給する小型成形品の搬送装置において、
前記処理装置に向けて前記小型成形品を搬送する搬送ベルトと、
搬送される前記小型成形品を前記処理装置での処理に適した目標姿勢に転換するよう、前記搬送ベルトの搬送面から所定の間隙をもって配置される高さ規制部材と、
前記搬送ベルトの一側部の側に配置され、前記小型成形品を整列させるべく前記搬送ベルトによる搬送路を前記処理装置に向けて漸次狭めるガイド部材と、
前記搬送ベルトを挟んで前記ガイド部材と対向する対向側壁と、
を備え、
前記高さ規制部材は、前記小型成形品の搬送方向の相対的に下流において前記ガイド部材側に位置づけられる一端と、前記搬送方向の相対的に上流において前記対向側壁側に位置づけられる他端とを有して前記搬送路を斜めに跨ぐように延在して配置されていることを特徴とする。
【００１０】
この形態において、前記高さ規制部材は弧形状を有し、前記上流に向って凸となるように配置されるものとすることができる。
【発明の効果】
【００１１】
本発明によれば、高さ規制部材が目標姿勢に転換されない小型成形品との当接に応じて弾性変形および／または変位して間隙を拡張すること、さらには、目標姿勢に転換されない小型成形品の通過時に搬送ベルトが支持部材の凹部内に撓むようにすることで、小型成形品の円滑な通過を許容し、小型成形品と高さ規制部材との当接に伴う負荷を軽減することができる。また、搬送路を斜めに跨ぐように延在して高さ規制部材を配置し、且つその延在方向が搬送方向下流に向かってガイド部材に近づいてゆくように定めたことにより、目標姿勢とならなかった小型成形品が高さ規制部材に沿って移動する場合、当該小型成形品はリターン路等に排除されるのではなくガイド部材の側に誘導されるので、上流側に戻される小型成形品の数が低減し、また誘導の過程で目標姿勢に転換される可能性も高まる。さらに、高さ規制部材を弧形状とし、これを搬送方向上流に向って凸となるように配置することで、高さ規制部材と立った姿勢の小型成形品との接触点または接触面積が限局され、錠剤を目標姿勢とする効果を一層高めることができる。
【００１２】
以上のことから、小型成形品の搬送速度の向上を許容しつつも、小型成形品の滞留や詰まりの抑制、および上流側に戻される小型成形品の数の低減が可能となり、小型成形品の検査等を行う処理装置、搬送装置および供給装置を含めたシステムの小型化や、搬送の効率ないしは検査等次段での処理の効率の向上に資することができる。
【図面の簡単な説明】
【００１３】
【図１】本発明小型成形品の搬送装置の一実施形態を示す斜視図である。
【図２】図１の搬送装置と小型成形品供給部との接続部分を示す斜視図である。
【図３】（ａ）〜（ｄ）は小型成形品の例としての錠剤の４形態を示す図である。
【図４】（ａ）および（ｂ）は、それぞれ、本発明の一実施形態に係る高さ規制ゲートおよびその周辺の搬送路の構成を示す平面図および側面図である。
【図５】高さ規制ゲートの好ましい構成、形状および配置を説明するための説明図である。
【図６】（ａ）および（ｂ）は高さ規制ゲートの図５に示した配置による効果を説明するための説明図である。
【図７】（ａ）〜（ｃ）は、目標姿勢とならなかった小型成形品が高さ規制ゲートを通過するときの状態を示す説明図である。
【図８】本発明搬送装置の他の実施形態を示す模式的斜視図である。
【発明を実施するための形態】
【００１４】
以下、図面を参照して本発明を詳細に説明する。
【００１５】
図１は本発明搬送装置の一実施形態を示す斜視図、図２は図１の搬送装置と小型成形品供給部との接続部分を示す斜視図である。図３（ａ）〜（ｄ）は小型成形品としての錠剤の形状の例を示す図であり、以下の実施形態においては、平錠と称される錠剤、すなわち図３（ａ）に示すように扁平な略円柱形状の錠剤Ｔを小型成形品として搬送する場合を例示するが、本発明は図３（ｂ）、（ｃ）および（ｄ）にそれぞれ示されるようなＲ付き錠、糖衣錠および異形錠の搬送にも適用できるものである。
【００１６】
図１および図２に示すように、小型成形品としての錠剤Ｔを搬送する本実施形態に係る搬送装置１は、錠剤Ｔを整列させて不図示の検査装置に供給する搬送路１０と、その側方に並置されるリターン路８０とを備える。搬送路１０は、供給部Ｆから供給される錠剤Ｔを矢印Ｘで示す主搬送方向に搬送する搬送ベルト１１と、本実施形態の主要部に係る高さ規制ゲート１００（後に詳述する）と、錠剤Ｔを案内するガイド側面２１が形成されているガイド部材２０とを含む。搬送ベルト１１は無端式のベルトコンベアの形態であり、錠剤Ｔの搬送面が前段の供給部Ｆから次段の小型成形品の検査処理装置（不図示）にまで延在するように、２つのプーリブロック３０，３０間に張架され、駆動される。供給部Ｆは搬送路１０の上流側の側部において搬送路１０の搬送面よりも高い位置に配設され、錠剤Ｔは供給部Ｆと搬送路１０とを接続するように配置された斜面部２０５上を滑落することで搬送ベルト１１に受容される。従って、図２において矢印Ｃで示すように、当該受容時に錠剤Ｔはほぼ９０度向きを変えて主搬送方向Ｘに搬送されて行くことになる。
【００１７】
ガイド部材２０は搬送ベルト１１の直上に配置され、上述したように錠剤Ｔを案内するガイド側面２１を有する。このガイド側面２１は、下流に向かって搬送ベルト１１を斜めに遮って横断するように形成されている。すなわち、ガイド部材２０のガイド側面２１は、錠剤Ｔの主搬送方向上流側の錠剤受容部では搬送ベルト１１の幅にほぼ等しい搬送路１０を画成する一方、下流に行くに従ってリターン路８０側に近づき、結果として錠剤Ｔの搬送路１０の幅を漸次狭めて行く。さらにガイド側面２１は、不図示の検査装置に連続するゲート部４０の入口近傍において搬送路１０の幅が最も狭くなり、搬送される錠剤Ｔの直径にほぼ等しい幅となるように搬送路１０を画成する。
【００１８】
ガイド部材２０は、水平方向であって且つ主搬送方向Ｘに対して直交する方向に移動可能であり、位置調整ツマミ１６によりガイド部材２０ひいてはガイド側面２１を移動させることで、搬送される錠剤Ｔの大きさに対応して搬送路１０の幅を調整できるように構成されている。符号１７は所望の調整位置においてガイド部材２０を基台に固定するためのクランパである。
【００１９】
ゲート部４０は、搬送装置１の最下流側に配置され、搬送されてくる錠剤Ｔの幅および高さを最終的に規制し、目標姿勢となって整列した錠剤のみの通過を許容する一方、その他の錠剤をリターン路８０側に排除する機能を果たす。ゲート部４０は、搬送ないし検査の対象となる錠剤Ｔの寸法に応じ、規制する幅および高さを調整可能な調整ツマミ４２および４４を有する。
【００２０】
リターン路８０は、無端式のベルトコンベアの形態のリターンベルト８１によって画成され、ゲート部４０の側方にあって搬送路１０の搬送面よりも低い位置から、搬送路１０の搬送面よりも高位の搬送方向上流側の位置まで延在する。従って、排除された錠剤Ｔはリターンベルト８１上に落下し、図２において矢印Ｒ１で示す方向に戻されて行き、ガイド部材８３によって矢印Ｒ２で示す方向に向きを変えられ、斜面部８５上を滑落して搬送ベルト１１に受容されることになる。なお、図２において符号８７で示すものは、リターン路８０側から受容された錠剤Ｔの進行方向を主搬送方向Ｘに速やかに一致させ、供給部Ｆ側から受容した錠剤Ｔと円滑に合流させるためのガイド部材である。従って、リターン路８０側から戻される錠剤Ｔの進行方向はほぼ１８０度変わることになる。
【００２１】
搬送装置を含むシステムの小型化の要望から、本実施形態においては、供給部Ｆは搬送路１０の上流側の側部に配設され、錠剤Ｔは供給部Ｆと搬送路１０とを接続する斜面部２０５を介して搬送ベルト１１に受容されるようにしている。また、搬送ないし検査の効率の向上の観点から搬送速度の向上が要望されているが、供給部Ｆから供給される錠剤およびリターン路８０を介して戻される錠剤の進行方向が急激に変わるため、搬送速度の増大に伴って錠剤が雑然としたままの状態、すなわち図１に示すように、錠剤同士が全体的または部分的に重なり合っている状態や、周側面部分が搬送面に接した姿勢（立った姿勢）となっている状態で搬送される蓋然性が高まる。特許文献１に開示された高さ規制ゲート（同文献の図２において符号１３，１４で示されるもの）は、搬送路１０のほぼ中流域、すなわちガイド側面２１によって搬送路１０が狭まり、錠剤Ｔの搬送密度が相当に高くなった位置に配置され、且つガイド部材から下流側に向うに従ってリターン路に近づくよう延在するものであった。そのため、搬送速度が高速化するほど高さ規制ガイドとしての機能が十分に働かず、且つ上流側に戻される錠剤の数を増大させる可能性があった。
【００２２】
そこで、本実施形態では、効果的に錠剤同士の重なりを解き、且つ立った姿勢の錠剤を横転させることで、目標姿勢（端面が搬送面に接した姿勢）を得るための高さ規制ゲート１００が設けられる。本実施形態の高さ規制ゲート１００は、以下に説明するように、搬送速度の向上、錠剤の滞留や詰まりの抑制、および上流側に戻される錠剤の数の低減の要望に応え、搬送の効率ないしは次段で行われる処理の効率の向上に資するべく、構成、形状および配置を適切に定めたものである。
【００２３】
図４（ａ）および（ｂ）は本発明の一実施形態に係る高さ規制ゲートおよびその周辺の搬送路を示す平面図および側面図である。また、図５は高さ規制ゲートの好ましい構成、形状および配置を説明するための説明図、図６（ａ）および（ｂ）は高さ規制ゲートの図５に示した配置による効果を説明するための説明図である。
【００２４】
高さ規制ゲート１００は、チューブ状の高さ規制部材１０１と、ガイド部材２０上に配置されて高さ規制部材１０１の一端を支持する支持部１０３と、ガイド部材２０のガイド側面２１と搬送路１０を挟んで対向する搬送路側壁上に配置されて高さ規制部材１０１の他端を支持する支持部１０５と、を有する。高さ規制部材１０１は、搬送路１０の比較的上流域すなわち錠剤Ｔの搬送密度が比較的低い位置に、搬送面から所定の間隙Ｇをもって搬送路１０を斜めに跨ぐように延在して配置される。
【００２５】
所定の間隙Ｇは、図３（ａ）に示す錠剤Ｔの厚みｔ（すなわち目標姿勢にあるときの搬送面からの高さ）より大で且つ錠剤Ｔの直径ｄ（すなわち立った姿勢にあるときの搬送面からの高さ）未満とされ、具体的には直径ｄよりも０．５ｍｍ〜１ｍｍ程度少ない距離に設定される。これにより、錠剤同士の全体的または部分的な重なりを解き、また立った姿勢の錠剤を横転させることで、錠剤Ｔを目標姿勢とすることができる。なお、搬送対象となる錠剤Ｔが種々の寸法を持ち得ることを考慮し、間隙Ｇを調整可能な手段を支持部１０３および１０５に付加してもよいし、あるいは錠剤Ｔの寸法に合わせ、望ましい間隙を設定する支持部１０３および１０５ないしは高さ規制部材１０１を交換して取り付け可能としてもよい。
【００２６】
本実施形態では、高さ規制部材１０１は搬送路１０の比較的上流域すなわち錠剤Ｔの搬送密度が比較的低い位置に、搬送路１０を斜めに跨ぐように配置されている。このため、搬送路１０に直交して高さ規制部材を配置する場合や、特許文献１に開示されたものよりも多数の錠剤の高さ規制を行うことが可能となる。また、本実施形態の高さ規制部材１０１は、ガイド部材２０上に配置される支持部１０３が搬送方向下流側、ガイド側面２１と対向する側壁上に配置される支持部１０５が搬送方向上流側に位置している。後述のように、本実施形態の高さ規制ゲート１００は、立った姿勢の錠剤Ｔの大部分を効果的に横転させるか、あるいは円滑に通過させるものであるが、一部の錠剤は立った姿勢のまま高さ規制部材１０１に沿って移動して行くことが考えられる。高さ規制部材１０１の延在方向を本実施形態のように定めることは、そのような錠剤をガイド側面２１の側に積極的に案内して行くことになり、その過程で横転が生じることも期待できる。
【００２７】
加えて、本実施形態の高さ規制部材１０１は弧形状を有し、上流に向って凸となるように取り付けられている。これは、図５に示すように、支持部１０５による支持部分における高さ規制部材１０１の接線方向が搬送方向に直交する方向に対して成す角θ１と、支持部１０３による支持部分における接線方向が搬送方向に直交する方向に対して成す角θ２とが、θ１≦θ２の関係にあることを意味する。
【００２８】
図６（ａ）および（ｂ）を用いてその効果を説明する。なお、これらの図において、符号１０１’は錠剤Ｔに最初に接触する高さ規制部材１０１の部分、Ｔ’は当該部分１０１’に接触する錠剤Ｔの部分をそれぞれ示す。同図（ａ）に示すように、高さ規制部材１０１が搬送方向上流に向って凸の弧をなすように配置される場合、高さ規制部材の部分１０１’に対する錠剤の部分Ｔ’の接触点（ないしは接触面積）が限局され、錠剤の厚み方向のいずれか一方に偏倚した位置でのみ接触する。このため錠剤Ｔを横転させる力が有効に働き、錠剤を目標姿勢とする効果が一層高まる。これに対し、同図（ｂ）に示すように、高さ規制部材１０１が搬送方向上流に向って凹の弧をなすように配置される場合、高さ規制部材の部分１０１’に対して錠剤の部分Ｔ’は対称の２点で接触し、このため錠剤Ｔを横転させる力が有効に働かない可能性が生じるのである。
【００２９】
さて、本実施形態のように弧状の高さ規制部材１０１を搬送方向上流に向って凸となるように配置した場合でもなお、錠剤同士の重なりを解き、また立った姿勢の錠剤を横転させる力が有効に働かないことも考えられる。そのような場合、例えば立った姿勢の錠剤Ｔは、高さ規制部材１０１に当接した以降、それ以上搬送されることなくその位置で回転を続けたり、あるいは高さ規制部材１０１と搬送面との間隙に噛み込んだりすることで、自身のみならず後続の錠剤Ｔをも滞留させ、詰まりを生じさせる要因となってしまう可能性がある。また、噛み込みにより生じる負荷によって、錠剤Ｔの破損や高さ規制部材１０１の歪みなどがもたらされることも考えられる。
【００３０】
そこで本実施形態では、高さ規制部材１０１を例えば弾性変形可能な材料で形成する。すなわち、図７（ａ）に示すように立った姿勢のまま間隙Ｔに進入してくる錠剤Ｔとの当接に応じ、同図（ｂ）に示すように弾性変形し、間隙Ｇを拡張して錠剤Ｔを円滑に通過させ、その通過後には同図（ｃ）に示すように復原するように高さ規制部材１０１を構成する。あるいは、図７（ｂ）および（ｃ）の二点鎖線で示すように、立った姿勢のまま間隙に進入してくる錠剤Ｔとの当接に応じて高さ規制部材１０１が上方に変位し、錠剤Ｔの通過後に元の位置に復帰するような構成が採用されてもよい。この場合は、錠剤との当接に応じて高さ規制部材１０１の上方への変位を許容し、当接の解除後には自重により元の位置に復帰できるよう、高さ規制部材１０１の支持部１０３および１０５を構成することができる。また、例えばばねにより高さ規制部材１０１を懸架するように支持部１０３および１０５を構成することもできる。
【００３１】
また、立った姿勢の錠剤Ｔの通過を、高さ規制部材１０１の変形または変位によって許容することに加え、高さ規制部材１０１が存在する範囲に対応して搬送ベルト１１の支持部材１２０に凹部１２１を設け、錠剤Ｔの通過時に搬送ベルト１１の撓みを許容することで、通過が一層円滑に行われるようにすることができる。なお、図４（ａ）、（ｂ）および図７（ａ）〜（ｃ）に示す例では、高さ規制部材１０１の上流側の端部から下流側の端部にわたる搬送ベルト１１の下部全体に凹部１２１を設けているが、高さ規制部材１０１に沿った範囲に限局して凹部が設けられるものでもよい。
【００３２】
高さ規制部材１０１の弾性変形によって間隙Ｇを拡張する構成を採用するか、あるいは高さ規制部材１０１を変位可能に支持することで間隙を拡張する構成を採用するかに応じて、高さ規制部材１０１の形成材料および断面形状を適切に選択することができる。
【００３３】
高さ規制部材１０１の弾性変形によって間隙Ｇを拡張する構成を採用する場合、高さ規制部材の好ましい形成材料は例えば硬度ショアＡ４０のシリコーンゴムが挙げられる。例えば外径４ｍｍ、内径２ｍｍ、断面二次モーメント１１．８ｍｍ４、ヤング率４ＭＰａのシリコーンゴムのチューブであれば、曲げ剛性は４７．２Ｎ・ｍｍ２となる。
【００３４】
また、高さ規制部材１０１を変位可能に支持する構成を採用する場合、例えば硬度ショアＡ１００の樹脂材料や、ステンレスなどの材料を用いて高さ規制部材１０１を形成することができる。例えば外径１２ｍｍ、内径９ｍｍ、断面二次モーメント６９６ｍｍ４、ヤング率５５０ＭＰａのフッ素樹脂製のチューブであれば、曲げ剛性は３８３×１０３Ｎ・ｍｍ２となる。また、外径１２ｍｍ、断面二次モーメント１．０２×１０３ｍｍ４、ヤング率２０６ＧＰａのステンレスの中実棒を用いるのであれば、曲げ剛性は２１０×１０６Ｎ・ｍｍ２となる。
【００３５】
以上のように、高さ規制部材１０１との接触によっても目標姿勢とはならなかった錠剤Ｔを円滑に通過させる構成を採用したことにより、錠剤の滞留や詰まりを効果的に抑制することができ、これにより、滞留や詰まりを解消するために搬送路を開放する等の処理を大幅に軽減できる。また、高さ規制ゲートと、目標姿勢とならなかった錠剤との接触に伴ってそれらに作用する負荷を軽減することができる。
【００３６】
なお、以上の実施形態においては、円形の横断面を有する中空または中実の高さ規制部材１０１について説明した。しかし搬送される小型成形品同士の重なりの解除または前記小型成形品の横転を促進して前記小型成形品を目標姿勢に転換するという所期の目的を達成し得るのであれば、高さ規制部材１０１の断面形状は任意所望に選択し得るものである。また、高さ規制部材１０１の形成材料についても適宜の選択が可能である。そして、高さ規制部材の曲げ剛性に応じた変形の程度が十分でないのであれば、さらにこれを変位可能に支持するようにすることも可能である。
【００３７】
さらに、上述の実施形態では、１つの搬送路１０と１つのリターン路８０とを備えた構成について説明したが、本発明は、図８に示すように２つの搬送路１０と１つのリターン路８０とを備えた構成に適用されるものであってもよいし、その他の組み合わせに適用されるものであってもよい。
【００３８】
加えて、上述の実施形態では、小型成形品として図３（ａ）に示すような扁平な略円柱状の錠剤が搬送される場合を例示したが、図３（ｂ）、（ｃ）および（ｄ）にそれぞれ示されるようなＲ付き錠、糖衣錠および異形錠の搬送にも有効に適用できる。特に、図３（ｃ）に示される錠剤であっても、周囲の錠剤に支えられていたり、搬送ベルト上を転動していたりするときには立った姿勢となっていることも考えられるので、本発明の適用は有効である。また、本発明は、錠剤のみならず粒状の菓子その他の小型成形品の搬送装置にも適用できることは勿論である。
【符号の説明】
【００３９】
１  搬送装置
１０  搬送路
１１  搬送ベルト
２０  ガイド部材
２１  ガイド側面
８０  リターン路
８１  リターンベルト
１００  高さ規制ゲート
１０１  高さ規制部材
１０３、１０５  支持部
１２０  搬送ベルト支持部材
１２１  凹部
Ｔ  錠剤
【図１】
0005992212.tif 000002
【図２】
0005992212.tif 000003
【図３】
0005992212.tif 000004
【図４】
0005992212.tif 000005
【図５】
0005992212.tif 000006
【図６】
0005992212.tif 000007
【図７】
0005992212.tif 000008
【図８】
0005992212.tif 000009